(57)【要約】      （修正有）【課題】花のアレンジメント等の潰れやすいものを収納して持ち運ぶ場合でも収納物が前後に圧縮されて潰れるのを防止できる手提袋を提供する。【解決手段】前壁６と後壁７と左右側壁８と底壁９とを有する上端が開口した袋本体３を備え、袋本体の上部に手提紐４が設けられた手提袋であって、手提紐が前壁と後壁との上部間に配置され、手提紐の一端部は前壁の上部に連結され、他端部は一端部に対向する後壁の上部に連結され、手提紐の中途部が前壁及び後壁の上部から上方に突出可能とされている。また、左右側壁の上部８ａにシート保持部１３が設けられ、左右側壁の上部を前後方向に伸長した状態に保形する保形シート１５が着脱自在に保持可能とされている。【選択図】図１
0003194869.tif 000002
【実用新案登録請求の範囲】
【請求項１】
前壁（６）と後壁（７）と左右側壁（８）と底壁（９）とを有する上端が開口した袋本体（３）を備え、袋本体（３）の上部に手提紐（４）が設けられた手提袋であって、
手提紐（４）が前壁（６）と後壁（７）との上部間に配置され、手提紐（４）の一端部は前壁（６）の上部に連結され、他端部は一端部に対向する後壁（７）の上部に連結され、手提紐（４）の中途部が前壁（６）及び後壁（７）の上部から上方に突出可能とされていることを特徴とする手提袋。
【請求項２】
左右側壁（８）の上部にシート保持部（１３）が設けられ、このシート保持部（１３）に、左右側壁（８）の上部を前後方向に伸長した状態に保形する保形シート（１５）が着脱自在に保持可能とされていることを特徴とする請求項１に記載の手提袋。
【請求項３】
手提紐（４）は、その長手方向両側を前壁（６）及び後壁（７）の外面に沿って左右方向外方に向けて配置したときに中央部側が一方の側壁（８）の外側方に配置可能となる長さに設定されていることを特徴とする請求項１又は２に記載の手提袋。
【請求項４】
手提紐（４）は、その中央部側が一方の側壁（８）の外側方に配置された状態から下方に下がって底壁（９）の下面側に移動不能な長さに設定されていることを特徴とする請求項３に記載の手提袋。
【考案の詳細な説明】
【技術分野】
【０００１】
本考案は、上端が開口した袋本体の上部に手提紐が設けられた手提袋に関するものである。
【背景技術】
【０００２】
手提袋には、前壁と後壁と左右側壁と底壁とを有する上端が開口した袋本体を備え、袋本体の上部に手提紐が設けられたものがあり、この種の従来の手提袋は、前後一対の手提紐が前壁の上部と後壁の上部とにそれぞれ取り付けられ、一対の手提紐の一端部は前壁又は後壁の上部の左側に連結され、他端部は上部の右側に連結され、手提紐の中途部が前壁又は後壁の上部から円弧状に上方に突出可能とされていた（例えば特許文献１，２）。
【先行技術文献】
【特許文献】
【０００３】
【特許文献１】実用新案登録第３１５６３０５号公報
【特許文献２】実用新案登録第３１２８５５９号公報
【考案の概要】
【考案が解決しようとする課題】
【０００４】
しかし、従来の場合、袋本体に花のアレンジメント等の潰れやすいものを収納して持ち運ぶ場合、前後一対の手提紐が前壁の上部と後壁の上部とにそれぞれ取り付けられているため、前後一対の手提紐を把持すると、この把持力が、左右側壁が左右方向の内方又は外方に折れ込んで前壁と後壁との上部側が前後方向に接近移動するように作用し、前壁の上部側と後壁の上部側とが接近移動することにより、袋本体に収納した花のアレンジメント等が前後に圧縮されて潰れてしまうという問題があった。
【０００５】
本考案は上記問題点に鑑み、花のアレンジメント等の潰れやすいものを収納して持ち運ぶ場合でも収納物が前後に圧縮されて潰れるのを防止できる手提袋を提供することを目的としている。
【課題を解決するための手段】
【０００６】
本考案における課題解決のための具体的手段は、次の通りである。
この技術的課題を解決する本考案の技術的手段は、前壁６と後壁７と左右側壁８と底壁９とを有する上端が開口した袋本体３を備え、袋本体３の上部に手提紐４が設けられた手提袋であって、
手提紐４が前壁６と後壁７との上部間に配置され、手提紐４の一端部は前壁６の上部に連結され、他端部は一端部に対向する後壁７の上部に連結され、手提紐４の中途部が前壁６及び後壁７の上部から上方に突出可能とされている点にある。
【０００７】
また、本考案の他の技術的手段は、左右側壁８の上部にシート保持部１３が設けられ、このシート保持部１３に、左右側壁８の上部を前後方向に伸長した状態に保形する保形シート１５が着脱自在に保持可能とされている点にある。
また、本考案の他の技術的手段は、手提紐４は、その長手方向両側を前壁６及び後壁７の外面に沿って左右方向外方に向けて配置したときに中央部側が一方の側壁８の外側方に配置可能となる長さに設定されている点にある。
【０００８】
また、本考案の他の技術的手段は、手提紐４は、その中央部側が一方の側壁８の外側方に配置された状態から下方に下がって底壁９の下面側に移動不能な長さに設定されている点にある。
【考案の効果】
【０００９】
本考案によれば、袋本体に花のアレンジメントのような潰れ易いものを収納して持ち運ぶ場合、手提紐を把持しても、手提紐は前壁の上部と後壁の上部とを連結するものであるため、この把持力が、左右側壁が左右方向の内方又は外方に折れ込んで前壁と後壁との上部側が前後方向に接近移動するようには作用しなくなり、前壁の上部側と後壁の上部側とが互いに接近するのを防止でき、花のアレンジメント等の収容物が前後に圧縮されて潰れるのを防ぐことができる。
【００１０】
また、手提紐を下腕に通して手提袋を下腕にぶら下げて持ち運ぶ場合において、袋本体の前壁又は後壁を身体の側面に沿わすように配置するときには、下腕を身体の側方で前後方向に向けておけばよく、手提袋を楽な姿勢で下腕にぶら下げておくことができる。また、袋本体の前壁又は後壁を身体の前面に沿わすように配置するときには、下腕を身体の前側で左右方向に向けておけばよく、手提袋を楽な姿勢で下腕にぶら下げておくことができる。
【００１１】
従って、いずれの場合でも、下腕と手提袋との両方をぴったり身体に沿わせて楽な姿勢で手提袋を下腕にぶら下げておくことができ、下腕と手提袋とが身体から大きく突出することなくなり、満員の電車内等であっても手提袋に収納した花のアレンジメント等を簡単かつ楽に持つことができる。
しかも、袋本体の前壁又は後壁を身体の側面に沿わす状態と身体の前面に沿わす状態とを変更する場合には、肩を支点に下腕を身体の側面と前面と間で揺動させればよく、沿わす状態を簡単かつスムーズに変更することができ、便利である。
【図面の簡単な説明】
【００１２】
【図１】本考案の一実施形態を示す手提袋の斜視図である。
【図２】同手提袋上部の正面断面図である。
【図３】同図２のＡ−Ａ線断面図である。
【図４】同袋本体に収納した収納物を下腕に吊り下げて持ち運ぶ場合の斜視図である。
【図５】他の実施形態を示す手提袋の斜視図である。
【図６】従来の手提袋の袋本体に収納した収納物を下腕に吊り下げて持ち運ぶ場合の斜視図である。
【考案を実施するための形態】
【００１３】
以下、本考案の実施の形態を図面に基づいて説明する。
図１〜図４は本考案の一実施形態を示している。図１〜図３において、手提袋１は、上端が開口した袋本体３と、袋本体３の上部に設けられた左右一対の手提紐４とを備え、袋本体３はクラフト紙等の紙製であって前壁６と後壁７と左右側壁８と底壁９とを有している。袋本体３を扁平に折り畳めるように、左右側壁８に逆Ｙ字状の谷折り線１１が形成され、前壁６又は後壁７の一方に水平な直線状の谷折り線１２が形成されている。
【００１４】
袋本体３の上部である前壁６、後壁７及び左右側壁８の上部に内面側に２つ折りに折り返してなる補強部６ａ，７ａ，８ａがそれぞれ設けられ、左右側壁８の補強部８ａは下端側が開口したシート保持部１３とされ、ここに保形シート１５が着脱自在に保持されている。
保形シート１５は、左右のシート保持部１３に対応して２枚具備されていて、厚紙等により長方板形状に形成され、保形シート１５の長手方向の長さはシート保持部１３の前後方向の長さよりもやや小さく設定され、保形シート１５の幅方向の長さはシート保持部１３の上下方向の長さよりもやや小さく設定されている。
【００１５】
保形シート１５の一面にシート保持部１３の内面に着脱自在に接着される接着部１７が設けられている。この接着部１７は接着剤の塗布又は両面接着テープの貼り付けにより形成されている。
而して、保形シート１５は、シート保持部１３にその下端開口から挿脱自在に挿入でき、保形シート１５をシート保持部１３に挿入した際に、接着部１７を介して保形シート１５をシート保持部１３の内面に接着できるようになっており、これにより、左右側壁８の上部を前後方向に伸長した状態に保形するように保形シート１５がシート保持部１３に着脱自在に保持可能とされている。
【００１６】
左右の手提紐４は布又は合成樹脂製の帯紐により構成され、前壁６と後壁７との上部間に配置され、手提紐４の両端部を前壁６の補強部６ａと後壁７の補強部７ａに取付孔１８を介して外側から内側に挿通し、その挿通端部を結んで取付孔１８から抜脱不能な結び目１９が形成され、これにより、手提紐４の一端部は前壁６の上部に連結され、他端部は一端部に対向する後壁７の上部に連結され、手提紐４の中途部が前壁６及び後壁７の上部か
ら上方に突出可能とされている。
【００１７】
左右の手提紐４は、前壁６の取付孔１８及び後壁７の取付孔１８から左右方向の外方に向けて袋本体３の上部外面に沿って平面視コの字状に配置可能になる長さを有しており、その長手方向両側を前壁６及び後壁７の外面に沿って左右方向外方に向けて配置したときに中央部側が一方の側壁８の外側方に配置可能となる長さに設定されている。また、手提紐４は、その中央部側が一方の側壁８の外側方に配置された状態から下方に下がって底壁９の下面側に移動不能な長さに設定されている。
【００１８】
前記実施形態によれば、袋本体３に花のアレンジメント２１を収納して持ち運ぶ場合、手提紐４を把持しても、手提紐４は前壁６の上部と後壁７の上部とを連結するものであるため、この把持力が、図３に２点鎖線で示すように、左右側壁８が左右方向の内方又は外方に折れ込んで前壁６と後壁７との上部側が前後方向に接近移動するようには作用しなくなり、前壁６の上部側と後壁７の上部側とが互いに接近するのを防止でき、花のアレンジメント２１が前後に圧縮されて潰れるのを防ぐことができる。
【００１９】
また、左右側壁８のシート保持部１３に保形シート１５を挿入保持しておくことにより、左右側壁８の上部を保形シート１５で前後方向に伸長した状態に保形することができるので、図３に２点鎖線で示すように、左右側壁８が左右方向の内方又は外方に折れ込まれなくなり、この点からも、前壁６の上部側と後壁７の上部側とが互いに接近するのを防止でき、花のアレンジメント２１が前後に扁平になって潰れるのをより確実に防ぐことができる。
【００２０】
また、従来の手提袋では、図６に示すように、手提袋を下腕にぶら下げて持ち運ぶ場合において、図６に実線で示すように、袋本体の前壁又は後壁を身体の側面に沿わすように配置するときには、下腕を身体の側方で左右方向に外方突出させる必要があり、下腕に手提袋をやや無理な姿勢でぶら下げるようになる。また、図６に２点鎖線で示すように、袋本体の前壁又は後壁を身体の前面に沿わすように配置するときには、下腕を身体の前側で前方に突出させる必要があり、下腕に手提袋をやや無理な姿勢でぶら下げるようになる。従って、いずれの場合でも、下腕が身体から大きく突出するし、下腕が無理な姿勢になると言う問題があった。
【００２１】
これに対して、本考案の実施形態では、図４に示すように、手提袋１を下腕にぶら下げて持ち運ぶ場合において、図４に実線で示すように、袋本体３の前壁６又は後壁７を身体の側面に沿わすように配置するときには、下腕を身体の側方で前後方向に向けておけばよく、下腕に手提袋１を楽な姿勢でぶら下げておくことができる。また、図４に２点鎖線で示すように、袋本体３の前壁６又は後壁７を身体の前面に沿わすように配置するときには、下腕を身体の前側で左右方向に向けておけばよく、下腕に手提袋１を楽な姿勢でぶら下げておくことができる。
【００２２】
従って、いずれの場合でも、下腕と手提袋１との両方をぴったり身体に沿わせて楽な姿勢で手提袋１を下腕にぶら下げておくことができ、下腕と手提袋１とが身体から大きく突出することもなくなり、満員の電車内等であっても手提袋１を簡単かつ楽に持つことができる。
しかも、袋本体３の前壁６又は後壁７を身体の側面に沿わす状態と身体の前面に沿わす状態とを変更する場合には、肩を支点に下腕を身体の側面と前面との間で揺動させればよく袋本体３を身体に沿わす状態を簡単かつスムーズに変更することができ、便利である。
【００２３】
また、袋本体３内に花のアレンジメント２１を収納したり収納した花のアレンジメント２１を取り出したりする場合に、手提紐４の長手方向両側を前壁６及び後壁７の外面に沿って左右方向外方に向けて配置して、中央部側を一方の側壁８の外側方に配置することにより、袋本体３の上端開口を大きく広げた状態で、手提紐４を袋本体３の上部開口の上方側から袋本体３の上部外周に退避させることができ、手提紐４が袋本体３内に花のアレンジメント２１の出し入れの邪魔になることがなくなり、収納本体に花のアレンジメント２１が潰れないように容易に収納できるし、容易に取り出すことができる。
【００２４】
また、手提紐４は、その中央部側が一方の側壁８の外側方に配置された状態から下方に下がって底壁９の下面側に移動することがなくなり、袋本体３内に花のアレンジメント２
１を出し入れした後は、手提紐４を容易に袋本体３の上端開口側に戻して、手提紐４で手提袋１を持ち上げることができる。
また、手提袋１を使用しない場合は、左右側壁８のシート保持部１３から左右の保形シート１５を取り外した後に、左右側壁８を谷折り線１１で内側に折り込むと共に、谷折り線１２で前壁６又は後壁７を内側に折り、前壁６と後壁７とを重合して手提袋１を折り畳めばよく、従来と同様にコンパクトに折り畳んで収納保管することができる。
【００２５】
なお、前記実施形態では、袋本体３の上部に左右一対の手提紐４が設けられているが、これに代え、袋本体３の上部に手提紐４を１つのみ設けるようにしてもよいし、３つ以上設けるようにしてもよい。手提紐４を１つのみ設ける場合には、例えば、図５に示すように、手提紐４の両端部に２股状に分かれた２股連結部２３を設けて、この２股連結部２３を前壁６の上部と後壁７の上部にそれぞれ連結するようにしてもよい。
【００２６】
また、前記実施形態では、手提紐４は布又は合成樹脂製の帯紐により構成されているが、これに代え、手提紐４を布、紙又は合成樹脂製の索条紐により構成してもよい。
また、袋本体３は紙製のものに限定されず、ＰＰ（ポリプロピレン）等の合成樹脂シートで形成したものであってもよい。また、袋本体３の内面等に雨や汚れに強いラミネート加工を施してもよい。
【００２７】
また、前記実施形態では、袋本体３に花のアレンジメント２１を収納しているが、袋本体３に収納するものは潰れ易いものとして花のアレンジメント２１の他に花束やケーキその他が考えられるし、袋本体３に収納するものは本や雑誌等の潰れ難いものであってもよいことは勿論である。
【符号の説明】
【００２８】
１      手提袋
３      袋本体
４      手提紐
６      前壁
７      後壁
８      側壁
９      底壁
１３    シート保持部
１５    保形シート
【図１】
0003194869.tif 000003
【図２】
0003194869.tif 000004
【図３】
0003194869.tif 000005
【図４】
0003194869.tif 000006
【図５】
0003194869.tif 000007
【図６】
0003194869.tif 000008